(57)【特許請求の範囲】
【請求項１】
ドラム缶の天部を覆うため、所定の肉厚を有する円形平面状であって、その周縁側において垂直方向に切り欠かれた複数の切り欠き面を有したカバー部を備え、
前記カバー部は、発泡合成樹脂より成形され、
ドラム缶の天部周縁と嵌合するため、前記切り欠き面を除く前記カバー部の周縁から一方側に立設された複数の立設面を更に備える、ことを特徴とするドラム缶用発泡カバー。
【請求項２】
前記切り欠き面は４つが前記カバー部の円周方向に沿って均等な間隔で配置され、対向する前記切り欠き面同士は互いに平行な平面であり、隣り合う切り欠き面同士は互いに直交する向きとなる平面である、ことを特徴とする請求項１記載のドラム缶用発泡カバー。
【請求項３】
天部の外周が接するように立置きされたドラム缶の天部に前記ドラム缶用発泡カバーが嵌合されたとき、隣り合う前記ドラム缶用発泡カバーの前記切り欠き面は当接する、ことを特徴とする請求項２記載のドラム缶用発泡カバー。
【請求項４】
前記立設面の内側面には、その円周方向に沿い、且つ内方に突出した凸条が形成される、ことを特徴とする請求項１乃至３のいずれか一項に記載のドラム缶用発泡カバー。
【請求項５】
前記カバー部には、その中心点から周縁側に向かって下方に傾斜した傾斜部が形成される、ことを特徴とする請求項１乃至４のいずれか一項に記載のドラム缶用発泡カバー。
【請求項６】
前記カバー部には、その下面側の中央位置に、円柱形状の加重受け部が形成される、ことを特徴とする請求項１乃至５のいずれか一項に記載のドラム缶用発泡カバー。
【請求項７】
前記カバー部には、その上面に、凸条の段差部を有する複数の補強リブが形成される、ことを特徴とする請求項１乃至６のいずれか一項に記載のドラム缶用発泡カバー。
【請求項８】
前記複数の補強リブのそれぞれは、前記カバー部の円周に平行となる内側段差部及び外側段差部を有し、
最も前記カバー部の周縁側の少なくとも一部の前記補強リブの前記外側段差部の一部には、更に当該周縁側に向かって延出された延出部が形成される、ことを特徴とする請求項７記載のドラム缶用発泡カバー。
【請求項９】
前記ドラム缶用発泡カバーは、カラー原料を用いて着色される、ことを特徴とする請求項１乃至８のいずれか一項に記載のドラム缶用発泡カバー。
【発明の詳細な説明】
【技術分野】
【０００１】
本発明は、ドラム缶の天部を雨水・埃などから保護するためのドラム缶用発泡カバーに関する。
【背景技術】
【０００２】
従来より、ドラム缶は、化学薬品や液体燃料などの液体を入れて保管や搬送するために汎用されている。一般に、ドラム缶を屋外に立置きで保管すると、土埃やゴミ、或は雨水といった異物がドラム缶の天板の上に溜まりやすく、その結果、図４（ａ）に示すように、ドラム缶１０の天板に錆が発生して劣化し、また、内容物を取り出すときに異物が混入しやすい。
【０００３】
このため、図４（ｂ）に示すように、ドラム缶１０の天部に、ポリエチレンなどのプラスチック樹脂製のドラム缶用カバー（ドラム缶用キャップ）１１が被せられることがある。このドラム缶用カバー１１は、例えば、円形平面部のカバー１１ａの周縁に立ち上げ辺１１ｂを備えた有底円筒形状を有している。
【０００４】
また、重量が軽く、ドラム缶天部との嵌合力を適度に調節しやすいドラム缶用キャップが開示されている（例えば、特許文献１参照）。さらに、パレット上に立置き状に野積みしたドラム缶の上面を風等に飛ばされない状態で覆い、ドラム缶の上面を風雨から保護できるドラム缶用カバーも開示されている（例えば、特許文献２参照）。
【先行技術文献】
【特許文献】
【０００５】
【特許文献１】特開２００６−６９６５７号公報
【特許文献２】特開２０１０−１３２３３０号公報
【発明の概要】
【発明が解決しようとする課題】
【０００６】
しかしながら、現在使用されているおおよそ全てのドラム缶用カバーはプラスチック製である。このプラスチック製のドラム缶用カバーは薄くてひずみ易く、これをドラム缶の天部に装着するとひずんだ箇所に雨水・埃などが溜まり易いという問題がある。
【０００７】
また、従来のプラスチック製のドラム缶用カバーは、軽量とはいっても比較的重量があるために作業性が悪く、ドラム缶の天部との嵌合が強くなるため取り付けや取り外しに労力を要する。このため、ドラム缶用カバーの更なる軽量化が望まれている。
【０００８】
さらに、剛性の高い肉厚のプラスチック製のドラム缶用カバーを使用すると、プラスチップ樹脂などの材料の使用量が大きく、製造コストが高くなり、その結果、ドラム缶用カバーが高額（例えば１枚１５００円以上）となる。このため、ドラム缶用カバーのより一層の低価格化も望まれている。
【０００９】
本発明は、上記課題に鑑みてなされたものであり、従来にない全く新しいタイプのものであり、雨水・埃などが溜まりにくく、作業性が極めて良く、且つ更なる低価格化をも実現できるドラム缶用発泡カバーを提供することを目的とする。
【課題を解決するための手段】
【００１０】
上記課題を解決するため、本発明は、ドラム缶の天部を覆うため、所定の肉厚を有する円形平面状であって、その周縁側において垂直方向に切り欠かれた複数の切り欠き面を有したカバー部を備え、前記カバー部は、発泡合成樹脂より成形され、ドラム缶の天部周縁と嵌合するため、前記切り欠き面を除く前記カバー部の周縁から一方側に立設された複数の立設面を更に備える、ことを特徴とするドラム缶用発泡カバーである。
【００１２】
このドラム缶用発泡カバーにおいて、前記切り欠き面は４つが前記カバー部の円周方向に沿って均等な間隔で配置され、対向する前記切り欠き面同士は互いに平行な平面であり、隣り合う切り欠き面同士は互いに直交する向きとなる平面であることが好ましい。
【００１３】
このドラム缶用発泡カバーにおいて、天部の外周が接するように立置きされたドラム缶の天部に前記ドラム缶用発泡カバーが嵌合されたとき、隣り合う前記ドラム缶用発泡カバーの前記切り欠き面は当接することが好ましい。
【００１４】
このドラム缶用発泡カバーにおいて、前記立設面の内側面には、その円周方向に沿い、且つ内方に突出した凸条が形成されることが好ましい。
【００１５】
このドラム缶用発泡カバーにおいて、前記カバー部には、その中心点から周縁側に向かって下方に傾斜した傾斜部が形成されることが好ましい。
【００１６】
このドラム缶用発泡カバーにおいて、前記カバー部には、その下面側の中央位置に、円柱形状の加重受け部が形成されることが好ましい。
【００１７】
このドラム缶用発泡カバーにおいて、前記カバー部には、その上面に、凸条の段差部を有する複数の補強リブが形成されることが好ましい。
【００１８】
このドラム缶用発泡カバーにおいて、前記複数の補強リブのそれぞれは、前記カバー部の円周に平行となる内側段差部及び外側段差部を有し、最も前記カバー部の周縁側の少なくとも一部の前記補強リブの前記外側段差部の一部には、更に当該周縁側に向かって延出された延出部が形成されることが好ましい。
【００１９】
また、このドラム缶用発泡カバーは、カラー原料を用いて着色されることが好ましい。
【発明の効果】
【００２０】
本発明に係るドラム缶用発泡カバーは、発泡合成樹脂により成形される。また、ドラム缶の天部を覆うため、所定の肉厚を有する円形平面状であって、その周縁側において垂直方向に切り欠かれた複数の切り欠き面を有したカバー部と、ドラム缶の天部周縁と嵌合するため、切り欠き面を除くカバー部の周縁から一方側に立設された複数の立設面とを備える。この構成により、本願発明は、従来にない新しいタイプのものであり、雨水・埃などが溜まりにくく、作業性が極めて良く、且つ更なる低価格化をも実現できるドラム缶用発泡カバーとなる。
【図面の簡単な説明】
【００２１】
【図１】（ａ）本発明の実施の形態に係るドラム缶用発泡カバーの上面の斜視図、（ｂ）同上ドラム缶用発泡カバーの下面の斜視図である。
【図２】（ａ）天地を逆にした同上ドラム缶用発泡カバーの正面図、（ｂ）同上ドラム缶用発泡カバーの上面図、（ｃ）同上ドラム缶用発泡カバーの左側面図、（ｄ）同上ドラム缶用発泡カバーの下面図、（ｅ）同上ドラム缶用発泡カバーのＡ−Ａ線断面図、（ｆ）同上ドラム缶用発泡カバーのＢ−Ｂ線断面図である。
【図３】（ａ）同上ドラム缶用発泡カバーを使用した４本のドラム缶のセットの斜視図、（ｂ）同上ドラム缶のセットの上面図である。
【図４】（ａ）従来のドラム缶の屋外での使用状態を示す写真図、（ｂ）従来のドラム缶用カバーの使用状態を示す写真図である。
【発明を実施するための形態】
【００２２】
本発明の実施の形態に係るドラム缶用発泡カバーについて図１乃至図３を参照して説明する。図１は、発泡合成樹脂により成型されるドラム缶用発泡カバー１を示しており、このドラム缶用発泡カバー１は、ドラム缶の天部を保護する目的で利用される。
【００２３】
最初に、ドラム缶用発泡カバー１の特徴に関して図１及び図２を参照して説明する。このドラム缶用発泡カバー１は、ドラム缶の天部を覆うことができる形状を有し、発泡合成樹脂で成型される。ここで、発泡合成樹脂は、例えばポリスチレン、ポリエチレン、ポリプロピレンなどのポリオレフィン系樹脂であり、本実施の形態に係るドラム缶用発泡カバー１は例えばＥＰＳ(expanded polystyrene)パネルで成型されている。
【００２４】
ドラム缶用発泡カバー１は、図１（ａ），（ｂ）に示すように、カバー部２と立設面３とを備える。カバー部２は、ドラム缶の天部を覆うため、所定の肉厚（例えば１２．４ｍｍ）を有する円形平面状であって、その周縁側において垂直方向に切り欠かれた複数（本実施の形態では４つ）の切り欠き面２ａを形成し、且つこれら切り欠き面２ａを円周方向に沿って均等な間隔で配置している。立設面３は、ドラム缶の天部周縁と嵌合するため、切り欠き面２ａを除くカバー部２の周縁から一方側に複数立設（本実施の形態では４つ）されている。ここで、立設面３の肉厚は例えば１２ｍｍである。
【００２５】
本実施の形態では、切り欠き面２ａは４つであり、図２に示すように、対向する切り欠き面２ａ同士は互いに平行な平面であり、隣り合う切り欠き面２ａ同士は互いに直交する向きの平面で形成される。すなわち、上面視でカバー部２の中心点から一の切り欠き面２ａへの垂線と、カバー部２の中心点から隣の切り欠き面２ａへの垂線とのなす角が９０°となっている。この切り欠き面２ａの構成により、外周が接するように立置きされたドラム缶の天部を、ドラム缶用発泡カバー１を用いて簡易に覆うことができる。
【００２６】
ドラム缶用発泡カバー１の立設面３の内側面には、図１（ｂ）及び図２（ｄ）に示すように、その円周方向に沿い、且つ内方に突出した逆テーパ形状の凸条３ａが形成されている。凸条３ａは、ドラム缶用発泡カバー１がドラム缶の天部周縁に適度な嵌合力を持って嵌合されるために設けられている。
【００２７】
カバー部２には、図２（ｅ），（ｆ）に示すように、中心点から周縁側に向かって下方に傾斜した傾斜部２ｂが形成されている。そこ傾斜部２ｂの傾斜角は例えば２°である。傾斜部２ｂを設けることにより、ドラム缶用発泡カバー１の上面に雨水・埃などが溜まることを適切に防止できる。
【００２８】
カバー部２には、図１（ｂ）及び図２（ｄ）に示すように、その下面側の中央位置に、円柱形状の加重受け部２ｃが形成されている。加重受け部２ｃは例えば高さ２０ｍｍであり、この加重受け部２ｃを設けることで、ドラム缶用発泡カバー１上に重量のある物（例えばパレット）が載置される場合においてもカバー部２が下方に折れ曲がって割れることを適切に防止できる。
【００２９】
カバー部２には、図１（ａ）及び図２（ｂ）に示すように、その上面に、複数の凸状の段差部を有する補強リブ２ｄが形成され、ドラム缶用発泡カバー１の強度を補強している。この補強リブ２ｄの段差部の高さは例えば４．２ｍｍである。また、各補強リブ２ｄは、カバー部２の円周方向に沿って平行な内側段差部２ｄａ及び外側段差部２ｄｂを有し、最もカバー部２の周縁側の少なくとも一部の補強リブ２ｄの外側段差部２ｄｂの一部には、更に当該周縁側に向かって延出された延出部２ｅが形成される。この延出部２ｅを設けることにより、多数枚のドラム缶用発泡カバー１を上下方向に積層して運搬する際にも、上下に位置するドラム缶用発泡カバー１同士がずれることを適切に防止する。
【００３０】
次に、本実施の形態に係るドラム缶用発泡カバー１のドラム缶への具体的な設置例に関して、図３を参照して説明する。
【００３１】
一般的にドラム缶４は、図３（ａ）に示すように、筒状の胴部４ａの上端側と下端側に、円板部材（天板と底板）を接続して閉じた基本構造を有し、そのサイズはＪＩＳ規格で統一されている。また、胴部４ａには、ドラム缶の強度を高めるための複数のリブ４ｂが形成されている。ドラム缶用発泡カバー１が取り付けられるドラム缶は、例えばクローズタイプと呼ばれるドラム缶（クローズドラム缶）である。クローズドラム缶は、天板に、内容物を取り出すための主口金と、内容物を取り出す際に内部空間への空気の流通を円滑にする小口金とが設けられている。
【００３２】
そして、作業場においては、図３（ａ）に示すように、ドラムクリッカー（搬送機械）を用いてドラム缶４を２本ずつ把持してパレット５上に載置し、パレット５上に天部の外周が接するように４本のドラム缶４が立置きされ、そして、上下方向に２層となるように下層のドラム缶４のセット上に上層のドラム缶４のセットがパレット５を用いて載置される。
【００３３】
この際、図３（ｂ）に示すように、天部の外周が接するように立置きされたドラム缶４の天部にドラム缶用発泡カバー１が嵌合されたとき、隣り合うドラム缶用発泡カバー１の切り欠き面２ａは当接する。従って、ドラム缶用発泡カバー１をドラム缶４の天部に取り付け・取り外しにおいて隣のドラム缶４用のドラム缶用発泡カバー１が邪魔になることがない。この結果、重量のあるドラム缶４自体をドラム缶用発泡カバー１の取り付け・取り外しの際に動かす必要がなく、また、ドラム缶用発泡カバー１は発泡スチロールであるため、軽量であり非常に作業がしやすく、作業性を格段に向上できる。
【００３４】
以上の説明のように、本実施の形態に係るドラム缶用発泡カバー１は、ドラム缶の天部を覆うことができる形状を有し、発泡合成樹脂より成形される。ドラム缶用発泡カバー１は、ドラム缶の天部を覆うため、所定の肉厚を有する円形平面状であって、その周縁側において垂直方向に切り欠かれた４つの切り欠き面２ａを有したカバー部２と、ドラム缶の天部周縁と嵌合するため、切り欠き面２ａを除くカバー部２の周縁から一方側に立設された複数の立設面３とを備える。
【００３５】
この構成により、ドラム缶用発泡カバー１は、従来のプラスチック製のものではない全く新しいタイプのものとなる。
【００３６】
そして、ドラム缶用発泡カバー１は、カバー部２に傾斜部２ｂが設けられているため雨水・埃などが溜まりにくく、ドラム缶の天板に錆が生じることを適切に防止できる。そして、一度ドラム缶の天部に取り付けられたドラム缶用発泡カバー１は立設面３に設けられた凸条３ａにより適度な嵌合力でドラム缶の天部周縁に嵌合される。また、カバー部２には補強リブ２ｄ及び延出部２ｅが形成されるために、ドラム缶用発泡カバー１の強度を保つと共に、ドラム缶用発泡カバー１を積み重ねて運搬しても、上下のドラム缶用発泡カバー１がずれることがない。
【００３７】
また、ドラム缶用発泡カバー１は、発泡合成樹脂で成型されているため、非常に軽量で作業性が極めて良い。また、カバー部２に切り欠き面２ａが形成されているために、ドラム缶用発泡カバー１のドラム缶の天部への取り付け・取り外しが非常に容易となる。
【００３８】
さらに、ドラム缶用発泡カバー１は、発泡合成樹脂で成型されるため、コストは従来のプラスチック製のものの半分程度となり、ドラム缶用発泡カバー１の更なる低価格化をも実現できる。
【００３９】
またさらに、ドラム缶用発泡カバー１は、発泡合成樹脂で成型されているが屋外に保管されても１年以上の耐久性も有し、また、海外などに輸出されるドラム缶と共にワンウェイ（片道）で使用して廃棄できる。
【００４０】
（変形例）
本実施の形態の変形例について説明する。本変形例（図示せず）においては、ドラム缶用発泡カバー１は、製造段階でカラー原料を用いて着色される。この着色は、例えば、グリーン、ピンク、紫、ベージュ、オレンジ、ブルー、イエローなどの色を用いることができる。このことで、上記実施の形態を同様の作用効果を奏することができると共に、ドラム缶用発泡カバー１の色に応じて、例えば、ドラム缶内に貯蔵されている液体の種別、危険物か否か、仕分け先の判別が可能となり、ドラム缶の保管や搬送時における作業性を高めることができる。また、同時に、ドラム缶用発泡カバー１の表面にインクジェット文字印刷（黒・緑・青・赤）をも行うことで様々な識別情報を表示することもできる。
【００４１】
なお、本発明は、上記実施の形態の構成に限られず、発明の趣旨を変更しない範囲で種々の変形が可能である。また、上記実施の形態においてはドラム缶用発泡カバー１をクローズドラム缶に適用する例を説明したが、天蓋取り外し式のオープンドラム缶にも適用できることは言うまでもない。
【符号の説明】
【００４２】
１  ドラム缶用発泡カバー
２  カバー部
２ａ  切り欠き面
２ｂ  傾斜部
２ｃ  加重受け部
２ｄ  補強リブ
２ｄａ  内側段差部
２ｄｂ  外側段差部
２ｅ  延出部
３  立設面
３ａ  凸条
４  ドラム缶
５  パレット
【図１】
0006396262.tif 000002
【図２】
0006396262.tif 000003
【図３】
0006396262.tif 000004
【図４】
0006396262.tif 000005